(57)【要約】      （修正有）【課題】和服着付の際、結び目を直接目で確認しながら無理のない姿勢で帯を容易に結び上げられる、初心者や高齢者に最適な和装帯装着補助具を提供する。【解決手段】長尺状をなし、帯より狭い横幅及び装着者のほぼ脇までの長さの縦幅を有し、表面側には滑りの良い布地２が、裏面側には装着者が着ている着物との密着性の良い布地３がそれぞれ重畳された可撓性板状をなした帯板１の両側に、長手方向外側に行くに従って横幅が狭まったテーパ状をなし、長手方向に伸縮自在なシャーリング材４を、該シャーリング材４の先端に面ファスナー５をそれぞれ設けて和装帯装着補助具を構成した。【選択図】図１
0003105516.tif 000002
【実用新案登録請求の範囲】
【請求項１】
長尺状をなし、帯より狭い横幅及び装着者のほぼ脇までの長さの縦幅を有し、表面側には滑りの良い布地２が、裏面側には装着者が着ている着物との密着性の良い布地３がそれぞれ重畳された可撓性板状をなした帯板１の両側に、長手方向外側に行くに従って横幅が狭まったテーパ状をなし、長手方向に伸縮自在なシャーリング材４を、該シャーリング材４の先端に面ファスナー５をそれぞれ設けたことを特徴とする和装帯装着補助具。
【考案の詳細な説明】
【技術分野】
【０００１】
この考案は、和装帯装着補助具、詳しくは、和装帯を結び上げる際に用い、和装帯の装着を容易にする為の補助具に関するものである。
【背景技術】
【０００２】
和服は洋服などと異り、その着付には技術を要し、ある程度習熟しなければ、和服を正しく着ることを困難である。近年、和服を着る機会の減少に伴い、着付技術も低下しており、和服を一人で着れる人も少なくなり、益々和服離れが進んでいる。初心者にとって、和服の着付において帯結びが特に難題であり、帯結びが十分に出来ない為、和服を着ることを断念せざるを得ない場合も多かった。
【特許文献１】なし。
【非特許文献１】なし。
【考案の開示】
【考案が解決しようとする課題】
【０００３】
和服の帯は通常結び目が背中側にくるので、結び目を直接目で見ながら結び上げることは不可能であり、しかも腕を背中側に回して無理な姿勢で結び上げなければならないので、帯結びは初心者にとって大変むずかしい作業であった。特に、体が硬くなっており、柔軟性に乏しい高齢者にとってはつらい作業であり、和服に興味を持ちながら帯結びが満足に出来ない為、着付技術の習得を断念する場合も多かった。本考案者は和服着付の際の帯結びについての上記問題点を解決すべく研究を行った結果、結び目を直接目で確認しながら無理のない姿勢で帯を容易に結び上げられる、初心者や高齢者に最適な和装帯装着補助具を開発することに成功し、本考案としてここに提案するものである。
【課題を解決するための手段】
【０００４】
長尺状をなし、帯より狭い横幅及び装着者のほぼ脇までの長さの縦幅を有し、表面側には滑りの良い布地２が、裏面側には装着者が着ている着物との密着性の良い布地３がそれぞれ重畳された可撓性板状をなした帯板１の両側に、長手方向外側に行くに従って横幅が狭まったテーパ状をなし、長手方向に伸縮自在なシャーリング材４を、該シャーリング材４の先端に面ファスナー５をそれぞれ設けて和装帯装着補助具を構成することにより上記課題を解決した。
【実施例１】
【０００５】
図１はこの考案に係る和装帯装着補助具を展開した状態の表面側から見た平面図、図２は同じくその裏面側から見た平面図、図３は両端を接続し、ループ状にした状態の斜視図である。図中１は厚紙やプラスチック板などで出来た可撓性を有する帯板であり、長尺状をなし、帯より狭い横幅Ａを、装着者のほぼ脇までの長さに相当する縦幅Ｂを、それぞれ有しており、その表面側にはサテンの様に滑りの良い布地２が、裏面側には装着者が着ている着物との密着性の良い布地３がそれぞれ重畳されている。そして、この可撓性の帯板１の長手方向両側には、外側に行くに従って横幅が狭まったテーパ状をなし、長手方向に伸縮自在なシャーリング材４が、このシャーリング材４の先端部にはそれぞれ面ファスナー５，５が取付けられており、シャーリング材４，４の先端部同士をこれら面ファスナー５，５で接続し、図３に示す様に全体をループ状にすることが出来る様になっている。
【０００６】
次に、この和装帯装着補助具を用いて帯を結ぶ方法について説明する。まずはじめに、図４及び図５に示す様に、帯板１が正面にくる様に和服の上から装着者の胴に巻き付け、両側のシャーリング材４を伸長させた状態で両端の面ファスナー５，５を接続させて、この和装帯装着補助具を装着者にしっかりと固定する。なお、帯板１の裏面には密着性の良い布地３が重畳されているので、和服表面との間ですべったりずれたりすることはない。この状態において、図６に示す様に結ぼうとする帯６を、その結び目７が前の方に来る様にこの帯板１の外側に回巻し、図７及び図８に示す様に体の前方において結び目７を形成する。なお、この結び目７の形成の際には、図６に示す様に仮固定用の鰐口状のクリップ８や、図８に示す様に弾性ベルト９を用いると、より作業がしやすくなる。なお、この様にして形成される帯の結び方自体は、太鼓結び、蝶結びなど従来から行われている伝統的な結び方である。この様にして、体の前方において結び目７が形成されたなら、出来上った結び目７を図８において矢印で示す様に体の背後にずらし、図９に示す様な状態にして帯締め１０を締め直してすべての作業を完了する。なお、帯板１の表面にはサテンなどの滑りの良い布地２が形成されているので、結び目７を後方にずらす動作は容易に実施される。この考案は上記の通りの構成を有するものであり、体の前の方で帯の結び目７を形成する様にしているので、目で実際に確認しながら作業を進めることが可能であると共に、無理のない姿勢で作業が行え、初心者や高齢者でも和装帯を簡単かつ確実に結ぶことが出来る効果を有する。又、結び方自体は、従来の伝統的な結び方であり、習熟後には、体の背後において直接結び目７を形成させる伝統的な手法に移行することも容易であり、和服をより一層普及させる効果を有し、極めて実用的なものである。
【図面の簡単な説明】
【０００７】
【図１】この考案に係る和装帯装着補助具の実施例１の展開した状態を表面側から見たその平面図。
【図２】同じく、展開した状態を裏面側から見たその平面図。
【図３】同じく、その両端を接続しループ状にした状態の斜視図。
【図４】その使用方法を説明する為、和服着用者の胴に固定した状態の正面図。
【図５】同じく、その背面図。
【図６】本考案を用いた帯結びの手順における第一段階の正面図。
【図７】同じく、第二段階の斜視図。
【図８】同じく、第三段階の斜視図。
【図９】帯結びが完成した状態の斜視図。
【符号の説明】
【０００８】
１    帯状
２    滑りの良い布地
３    密着性の良い布地
４    シャーリング材
５    面ファスナー
６    帯
７    結び目
８    クリップ
９    弾性ベルト
１０    帯締め
【図１】
0003105516.tif 000003
【図２】
0003105516.tif 000004
【図３】
0003105516.tif 000005
【図４】
0003105516.tif 000006
【図５】
0003105516.tif 000007
【図６】
0003105516.tif 000008
【図７】
0003105516.tif 000009
【図８】
0003105516.tif 000010
【図９】
0003105516.tif 000011